(57)【要約】【課題】より小さく収納できる折り畳み傘を提供する。【解決手段】支持ユニット２と、傘骨ユニット３と、傘布４と、を備えている折り畳み傘であって、支持ユニット２は、少なくとも４つのサブ中棒２１１により伸縮可能に構成されている中棒２１と、中棒２１に沿って上ロクロ２２に近づいた展開位置と上ロクロ２２から離れた収納位置との間に中棒２１の上端部に設置されている上ロクロ２２と、移動可能に中棒２１に設置されている下ロクロ２３と、を備え、傘骨ユニット３は、上ロクロ２２と下ロクロ２３とに、中棒２１を囲むように設置されていて、下ロクロ２３の移動により展開状態と外四つ折りの収納状態との間に変換できるように構成されている複数の傘骨アセンブリ３０を備え、傘布４は、複数の傘骨アセンブリ３０に、複数の傘骨アセンブリ３０の作動で展開・収納され得るように設置されている。【選択図】図２
0003233357.tif 000002
【実用新案登録請求の範囲】
【請求項１】
一連に互いに摺動的に嵌挿することができる少なくとも４つのサブ中棒により伸縮可能に構成されている中棒と、前記中棒の上端部に設置されている上ロクロと、前記中棒に沿って前記上ロクロに近づいた展開位置と前記上ロクロから離れた収納位置との間に移動可能に前記中棒に設置されている下ロクロと、を備えている支持ユニットと、
前記上ロクロと前記下ロクロとに、前記中棒を囲むように設置されている複数の傘骨アセンブリを備えている傘骨ユニットと、
前記複数の傘骨アセンブリに、該複数の傘骨アセンブリを外から覆いながら、前記複数の傘骨アセンブリの作動で展開・収納され得るように設置されている傘布と、を備えており、
前記傘骨アセンブリは、
前記上ロクロに枢設されている上棒と、前記下ロクロと前記上棒とに枢設されている下棒と、前記下棒の前記下ロクロに対する反対端に枢設されている第１の接続棒と、前記第１の接続棒の前記下棒に対する反対端に枢設されている第２の接続棒と、を有する内傘骨セットと、  
前記内傘骨セットの前記第２の接続棒における前記第１の接続棒に対する反対端に枢設されている外傘骨と、
前記上棒と前記下棒と前記第１の接続棒と共に四節リンク機構を構成するように前記上棒と前記第１の接続棒の間に枢設されている第１の連動棒と、
前記下棒と前記第２の接続棒との間に枢設されている第２の連動棒と、
前記第１の接続棒と前記外傘骨との間に枢設されている第３の連動棒と、を備えており、そして、
前記下ロクロを前記展開位置に移動させると、前記下棒の前記下ロクロに対する反対端が前記中棒から更に離れるように移動して、前記第１の接続棒と前記第２の接続棒と前記外傘骨とが前記中棒から離れて、展開状態になり、
且つ、前記下ロクロを前記収納位置に移動させると、前記下棒の前記下ロクロに対する反対端が前記中棒に近づくように移動して、前記下棒と前記第１の接続棒と前記第２の接続棒と前記外傘骨とが前記中棒に外四つ折りになるように近づいて、収納状態になる、ように構成されていることを特徴とする折り畳み傘。
【請求項２】
前記支持ユニットの前記少なくとも４つのサブ中棒は、それぞれ互いに嵌挿された管状のものであることを特徴とする請求項１に記載の折り畳み傘。
【請求項３】
前記少なくとも４つのサブ中棒において、前記上ロクロが設置されている前記サブ中棒は、他の前記サブ中棒を収容できるサイズを有することを特徴とする請求項２に記載の折り畳み傘。
【請求項４】
前記中棒の前記上端部の反対端部である下端部に持ち手が、前記中棒の伸縮と共に移動できるように設置されていることを特徴とする請求項１〜請求項３のいずれか一項に記載の折り畳み傘。
【請求項５】
前記中棒は、前記中棒の最も延伸した長さが前記展開状態にある前記傘骨アセンブリの先端から前記中棒までの最短の直線距離より長くなるよう前記中棒を構成することができる５つの前記サブ中棒を備えていることを特徴とする請求項４に記載の折り畳み傘。
【考案の詳細な説明】
【技術分野】
【０００１】
本考案は、傘に関し、特に折り畳み傘に関する。
【背景技術】
【０００２】
雨の日に雨を防ぎ、晴れの日に日差しを避けるために、現在、日常的に折り畳み傘を携帯して出かける人が多くなった。
【０００３】
一般の三段折りの折り畳み傘は、中棒と、該中棒を囲むように設置されている複数の傘骨アセンブリと、該複数の傘骨アセンブリに設置されている傘布と、を備えている。
【０００４】
該中棒は、三段伸縮に構成され、且つ、該傘骨アセンブリは、三段折りに構成されているので、収納の際に、体積と長さとが小さくなって、収納や携帯の利便性が高い。
【考案の概要】
【考案が解決しようとする課題】
【０００５】
しかし、近年、様々なものが益々軽量化且つ小型化されており、それに合わせて折り畳み傘もより小さく収納できるものが求められている。
【０００６】
上記問題点に鑑みて、本考案は、より小型化された折り畳み傘を提供することを目的とする。
【課題を解決するための手段】
【０００７】
上記目的を達成すべく、本考案は、
一連に互いに摺動的に嵌挿することができる少なくとも４つのサブ中棒により伸縮可能に構成されている中棒と、前記中棒の上端部に設置されている上ロクロと、前記中棒に沿って前記上ロクロに近づいた展開位置と前記上ロクロから離れた収納位置との間に移動可能に前記中棒に設置されている下ロクロと、を備えている支持ユニットと、
前記上ロクロと前記下ロクロとに、前記中棒を囲むように設置されている複数の傘骨アセンブリを備えている傘骨ユニットと、
前記複数の傘骨アセンブリに、該複数の傘骨アセンブリを外から覆いながら、前記複数の傘骨アセンブリの作動で展開・収納され得るように設置されている傘布と、を備えており、
前記傘骨アセンブリは、
前記上ロクロに枢設されている上棒と、前記下ロクロと前記上棒とに枢設されている下棒と、前記下棒の前記下ロクロに対する反対端に枢設されている第１の接続棒と、前記第１の接続棒の前記下棒に対する反対端に枢設されている第２の接続棒と、を有する内傘骨セットと、  
前記内傘骨セットの前記第２の接続棒における前記第１の接続棒に対する反対端に枢設されている外傘骨と、
前記上棒と前記下棒と前記第１の接続棒と共に四節リンク機構を構成するように前記上棒と前記第１の接続棒の間に枢設されている第１の連動棒と、
前記下棒と前記第２の接続棒との間に枢設されている第２の連動棒と、
前記第１の接続棒と前記外傘骨との間に枢設されている第３の連動棒と、を備えており、そして、
前記下ロクロを前記展開位置に移動させると、前記下棒の前記下ロクロに対する反対端が前記中棒から更に離れるように移動して、前記第１の接続棒と前記第２の接続棒と前記外傘骨とが前記中棒から離れて、展開状態になり、
且つ、前記下ロクロを前記収納位置に移動させると、前記下棒の前記下ロクロに対する反対端が前記中棒に近づくように移動して、前記下棒と前記第１の接続棒と前記第２の接続棒と前記外傘骨とが前記中棒に外四つ折りになるように近づいて、収納状態になる、ように構成されていることを特徴とする折り畳み傘を提供する。
【考案の効果】
【０００８】
上記の構成により、本考案の折り畳み傘は、少なくとも４つのサブ中棒により構成されている中棒が少なくとも四段階伸縮でき、且つ、傘骨アセンブリが外四つ折りになるよう構成されているので、本考案の折り畳み傘を収納する際に四段折りを達成できて、収納の際に、従来の折り畳み傘と比べてより一層の小型化が達成できる。
【図面の簡単な説明】
【０００９】
【図１】本考案の折り畳み傘の一実施形態であって、該折り畳み傘の収納状態を示す図である。
【図２】上記折り畳み傘の展開状態を示す図である。
【考案を実施するための形態】
【００１０】
以下、図面を参照しながら、本考案の折り畳み傘の一実施形態について詳しく説明する。
【００１１】
図１は本実施形態における折り畳み傘の収納状態を示す図である。図２は上記折り畳み傘の展開状態を示す図である。
【００１２】
本考案を説明するために、本明細書及び実用新案登録請求の範囲において方向性を有する用語（例えば、前、後、左、右、上、下、縦、横など）を使用するが、これらの方向性の定義は、単に本明細書及び実用新案登録請求の範囲の記載を補助することを意図しており、本考案をいかなる方法でも限定することを意図していない。
【００１３】
本考案の折り畳み傘は、図２に示されるように、支持ユニット２と、傘骨ユニット３と、傘布４と、を備えている。
【００１４】
傘骨ユニット３の構成をより明白に示すために、図２において、一点鎖線で傘布４を示している。
【００１５】
支持ユニット２は、図１及び図２に示されるように、中棒２１と、中棒２１の上端部に設置されている上ロクロ２２と、中棒２１に沿って上ロクロ２２に近づいた展開位置と上ロクロ２２から離れた収納位置との間に移動可能に中棒２１に設置されている下ロクロ２３と、中棒２１の前記上端部の反対端部である下端部に設置されている持ち手２４と、を備えている。
【００１６】
中棒２１は、軸線Ｌに沿って延伸するものであり、且つ、一連に互いに摺動的に嵌挿することができる少なくとも４つのサブ中棒２１１により伸縮可能に構成されている。この実施形態において、中棒２１は、５つのサブ中棒２１１により構成されている。
【００１７】
各サブ中棒２１１は、互いに嵌挿された管状のものとして構成されている。そして、上ロクロ２２が設置されているサブ中棒２１１は、他のサブ中棒２１１を収容できるサイズを有する。
【００１８】
持ち手２４は、中棒２１が延伸した際に最も下になるサブ中棒２１１の下端部に、中棒２１の伸縮と共に移動できるように設置されている。
【００１９】
傘骨ユニット３は、図１及び図２に示されるように、上ロクロ２２と下ロクロ２３とに、中棒２１を囲むように設置されていて、下ロクロ２３の前記展開位置と前記収納位置との間の移動により展開状態（図２）と収納状態（図１）との間に変換できるように構成されている複数の傘骨アセンブリ３０を備えている。
【００２０】
そして、図１及び図２に示されるように、本考案の折り畳み傘が前記展開状態になる際に、中棒２１は最も長く延伸し、本考案の折り畳み傘が前記収納状態になる際に、中棒２１は最も短く収縮する。この実施形態において、中棒２１は、中棒２１の最も延伸した長さが前記展開状態にある傘骨アセンブリ３０の先端（露先）から中棒２１までの最短の直線距離（軸線Ｌと略直交する方向に沿う直線距離）より長くなるよう中棒２１を構成することができる５つの前記サブ中棒２１１を備えており、また、図２に示されるように、各サブ中棒２１１は、自身の下方のサブ中棒２１１に外嵌できるように、上から順に細くなるよう構成されている。なお、持ち手２４は、中棒２１が前記収納状態にあると、図１に示されるように、上ロクロ２２に接近した収縮位置にあり、中棒２１が前記展開状態にあると、図２に示されるように、上ロクロ２２から離れた使用位置にある。
【００２１】
傘骨アセンブリ３０は、内傘骨セット３１と、外傘骨３２と、第１の連動棒３３と、第２の連動棒３４と、第３の連動棒３５と、を備えている。
【００２２】
内傘骨セット３１は、上ロクロ２２に枢設されている上棒３１１と、下ロクロ２３と上棒３１１とに枢設されている下棒３１２と、下棒３１２の下ロクロ２３に対する反対端に枢設されている第１の接続棒３１３と、第１の接続棒３１３の下棒３１２に対する反対端に枢設されている第２の接続棒３１４と、を有する。
【００２３】
外傘骨３２は、内傘骨セット３１の第２の接続棒３１４における前記第１の接続棒３１３に対する反対端に枢設されている。
【００２４】
第１の連動棒３３は、上棒３１１と下棒３１２と第１の接続棒３１３と共に四節リンク機構を構成するように、上棒３１１と第１の接続棒３１３の間に枢設されている。
【００２５】
第２の連動棒３４は、下棒３１２と第２の接続棒３１４との間に枢設されている。
【００２６】
第３の連動棒３５は、第１の接続棒３１３と外傘骨３２との間に枢設されている。
【００２７】
そして、傘骨アセンブリ３０は、下ロクロ２３を前記展開位置に移動させると、下棒３１２の下ロクロ２３に対する反対端が中棒２１からより離れるように移動して、第１の接続棒３１３と第２の接続棒３１４と外傘骨３２とが中棒２１から離れて、前記展開状態になるように構成されている。
【００２８】
且つ、傘骨アセンブリ３０は、下ロクロ２３を前記収納位置に移動させると、下棒３１２の下ロクロ２３に対する反対端が中棒２１に近づくように移動して、下棒３１２と第１の接続棒３１３と第２の接続棒３１４と外傘骨３２とが中棒２１に外四つ折り（Ｗ折）になるように近づいて、前記収納状態になるように構成されている
なお、この実施形態においては、図１に示されるように、上棒３１１と下棒３１２と第１の接続棒３１３と第１の連動棒３３とにより上述したように四節リンク機構を構成するために、上棒３１１は、一端が上ロクロ２２に枢設され、他端が下棒３１２の非端部部分に枢設されており、下棒３１２は、一端が下ロクロ２３に枢設され、他端が第１の接続棒３１３の非端部部分に枢設されており、そして、第１の連動棒３３は、一端が第１の接続棒３１３の端部に枢設され、他端が上棒３１１の非端部部分に枢設されている。
【００２９】
また、第１の接続棒３１３は、第１の連動棒３３が枢設されている端部の反対端部が第２の接続棒３１４の非端部部分に枢設されており、第２の連動棒３４は、一端が第２の接続棒３１４の端部に枢設され、他端が下棒３１２の上棒３１１が枢設する箇所と第１の接続棒３１３に枢設する箇所との間の非端部部分に枢設されており、第２の接続棒３１４は、第１の連動棒３３が枢設されている端部の反対端部が外傘骨３２の非端部部分に枢設されており、第３の連動棒３５は、一端が外傘骨３２の端部に枢設され、他端が第１の接続棒３１３の第２の接続棒３１４寄りの非端部部分に枢設されている。
【００３０】
それにより、図２に示されるように、下ロクロ２３を前記展開位置に移動させて下棒３１２を移動すると、前記四節リンク機構、第２の連動棒３４及び第３の連動棒３５の連動により、第１の接続棒３１３と第２の接続棒３１４と外傘骨３２とが中棒２１から更に離れるように外側へ伸びて、前記展開状態になる。
【００３１】
逆に、図１に示されるように、下ロクロ２３を前記収納位置に移動させて下棒３１２を移動すると、前記四節リンク機構、第２の連動棒３４及び第３の連動棒３５の連動により、下棒３１２と第１の接続棒３１３と第２の接続棒３１４と外傘骨３２とが外四つ折りになるように、下棒３１２と第１の接続棒３１３と第２の接続棒３１４と外傘骨３２とが中棒２１に近づいて、前記収納状態になる。
【００３２】
傘布４は、図２に示されるように、複数の傘骨アセンブリ３０に、該複数の傘骨アセンブリ３０を外から覆ったまま、複数の傘骨アセンブリ３０の作動で展開・収納され得るように設置されている。
【００３３】
即ち、複数の傘骨アセンブリ３０が前記展開状態になると、傘布４は張られて展開され、複数の傘骨アセンブリ３０が前記収納状態になると、傘布４が折り畳まれる。
【００３４】
上記の構成により、使用者が本考案の折り畳み傘を収納しようとする際に、下ロクロ２３を前記収納位置に移動させて傘骨アセンブリ３０と傘布４とを前記収納状態にさせ、且つ、持ち手２４を前記収縮位置に移動させて中棒２１前記収納状態にすることにより、体積と長さとが小さくなり、そして四段折りを達成できて、収納の際に、従来の折り畳み傘より更に小型になる。
【００３５】
なお、一般的な折り畳み傘は、収納状態における中棒の長さと折り畳まれた傘骨アセンブリの長さが一致するようになっている。そのために、傘骨アセンブリの各棒の長さを収納状態における中棒の長さと同じく構成する必要がある。しかし、それにより、収納性を重視して傘骨アセンブリの長さを短めにした場合には展開状態の中棒の長さが足りなくなり使用者によって持ちにくくなるという問題点があり、使用性を重視して展開状態の中棒の長さを長めにした場合には展開された傘骨アセンブリの長さ及び先端から中棒までの最短の直線距離が長すぎて収納性が悪くなりまた使用時に傘骨が周りのものに当たりやすくなるという問題点がある。
【００３６】
そして、この実施形態において、中棒２１は５つのサブ中棒２１１により構成され、且つ、傘骨アセンブリは外四つ折りになるように構成されているので、前記展開状態の中棒の長さは収納状態の中棒の長さのほぼ５倍であり、且つ、前記展開状態の傘骨アセンブリの長さは折り畳みされた前記収納状態の傘骨アセンブリ長さのほぼ４倍であり、即ち、前記展開状態の中棒２１の長さが前記展開状態の傘骨アセンブリの長さ及び先端から中棒までの最短の直線距離より長くなるよう構成することができ、それにより、展開された傘骨アセンブリの長さ及び先端から中棒までの最短の直線距離を増加せずに前記展開状態の中棒の長さを増加でき、使用者が持ちにくいまたは傘骨アセンブリの長さ及び先端から中棒までの最短の直線距離が長すぎる問題点を解消できる。
【００３７】
以上、本考案の例示的な実施形態と考えられるものを記載したが、本考案は開示された実施形態に限定されるものではなく、最も広い解釈の精神及び範囲内に含まれる様々な構成として、全ての修飾及び均等な構成を包含するものとする。
【産業上の利用可能性】
【００３８】
本考案の折り畳み傘は、一般の傘として使用でき、特により小さい収納空間が必要する状況に好適である。
【符号の説明】
【００３９】
２      支持ユニット
２１    中棒
２１１  サブ中棒
２２    上ロクロ
２３    下ロクロ
２４    持ち手
３      傘骨ユニット
３０    傘骨アセンブリ
３１    内傘骨セット
３１１  上棒
３１２  下棒
３１３  第１の接続棒
３１４  第２の接続棒
３２    外傘骨
３３    第１の連動棒
３４    第２の連動棒
３５    第３の連動棒
４      傘布
Ｌ      軸線
【図１】
0003233357.tif 000003
【図２】
0003233357.tif 000004